(57)【要約】      （修正有）【課題】コンパクトに収納でき、持ち運びにも便利な折たたみ式テーブルを提供する。【解決手段】ほぼ直方体の本体容器１２と拡張パネル１６を備える。拡張パネル１６は、本体容器１２の特定面１４と相似形状をしている。特定面１４を上方に向けてほぼ水平にして本体容器１２を設置したとき、拡張パネル１６の一辺を特定面１４のいずれかの辺に重ねて、パネル用脚２２で支持する。パネル用脚２２は、拡張パネル１６にフック１８を用いて仮固定する。パネル用脚２２は、拡張パネル１６を、特定面１４の側方でほぼ水平に支持するように、拡張パネル１６に装着される。拡張パネル１６は、本体容器１２の特定面１４上に重ねて本体容器１２と一体化して収容され、パネル用脚２２は本体容器１２の内部空間に固定して収容される。【選択図】図１
0003155454.tif 000002
【実用新案登録請求の範囲】
【請求項１】
ほぼ直方体の本体容器と、
この本体容器の特定面と相似形状をしており、前記特定面を上方に向けてほぼ水平にして前記本体容器を設置したとき、一辺を前記特定面のいずれかの辺に重ねて固定する手段を当該一辺に設けた拡張パネルと、
この拡張パネルを、前記特定面の側方でほぼ水平に支持するように、前記拡張パネルに装着されるパネル用脚とを備え、
前記拡張パネルは、前記本体容器の特定面上に重ねて本体容器と一体化して収容され、
前記パネル用脚は前記本体容器の内部空間に固定して収容されることを特徴とする折りたたみ式テーブル。
【請求項２】
請求項１に記載の折りたたみ式テーブルにおいて、
前記特定面の辺に蝶番またはフックを介してその一辺が連結固定される拡張パネルを設けたことを特徴とする折りたたみ式テーブル。
【請求項３】
請求項１，２に記載の折りたたみ式テーブルにおいて、
前記本体容器が設置さたときに垂直に向いた本体容器の４本の稜の内面に接するように、
それぞれこの稜よりも十分長く、本体容器の下側に突出して、本体容器を所定の高さに支持する支柱を着脱自在に固定する柱固定部を有し、
これらの４本の支柱は前記本体容器の内部空間に固定して収納されることを特徴とする折りたたみ式テーブル。
【請求項４】
請求項３に記載の折りたたみ式テーブルにおいて、
本体容器の前記特定面と対向する底面のいずれかの辺に、一辺を重ねて、前記底面を本体容器の側方に拡張する拡張サブパネルと、
この拡張サブパネルを水平に支持するように、前記拡張サブパネルに装着されるパネル用脚とを備えたことを特徴とする折りたたみ式テーブル。
【請求項５】
請求項１乃至４のいずれかに記載の折りたたみ式テーブルにおいて、
前記底面の辺に蝶番を介してその一辺が連結固定されている拡張サブパネルを設けたことを特徴とする折りたたみ式テーブル。
【請求項６】
請求項１〜５に記載の折りたたみ式テーブルにおいて、
前記特定面には火器を固定する火器皿が固定されていることを特徴とする折りたたみ式テーブル。
【請求項７】
請求項２乃至５のいずれかに記載の折りたたみ式テーブルにおいて、
前記いずれかの拡張パネルは、前記蓋となる拡張パネルと前記火器皿が固定された特定面との間に挟み込まれて収納されることを特徴とする折りたたみ式テーブル。
【考案の詳細な説明】
【技術分野】
【０００１】
本考案は、本考案はアウトドア等で利用するのに適する折りたたみ式テーブルに関する。
【背景技術】
【０００２】
キャンプなどのアウトドアに使用されるテーブルやイスなどの道具はいずれもコンパクトに折り畳みができ軽量化され便利に使用できるものが好まれる（特許文献１参照）。
【先行技術文献】
【特許文献】
【０００３】
【特許文献１】特開２００６−２０４８３３号公報
【考案の概要】
【考案が解決しようとする課題】
【０００４】
しかしながら、持ち運びの際にむき出しになったり複雑な形状をしていると車などに積む場合にスペースをとる。また、様々な道具と荷物とがぶつかり合って破損したりするおそれがある。
上記の課題を解決するために、本考案は、コンパクトに収納でき、持ち運びにも便利な折りたたみ式テーブルを提供することを目的とする。
【課題を解決するための手段】
【０００５】
以下の構成はそれぞれ上記の課題を解決するための手段である。
〈構成１〉
ほぼ直方体の本体容器と、この本体容器の特定面と相似形状をしており、前記特定面を上方に向けてほぼ水平にして前記本体容器を設置したとき、一辺を前記特定面のいずれかの辺に重ねて固定する手段を当該一辺に設けた拡張パネルと、この拡張パネルを、前記特定面の側方でほぼ水平に支持するように、前記拡張パネルに装着されるパネル用脚とを備え、前記拡張パネルは、前記本体容器の特定面上に重ねて本体容器と一体化して収容され、前記パネル用脚は前記本体容器の内部空間に固定して収容されることを特徴とする折りたたみ式テーブル。
【０００６】
〈構成２〉
構成１に記載の折りたたみ式テーブルにおいて、前記特定面の辺に、蝶番またはフックを介してその一辺が連結固定される拡張パネルを設けたことを特徴とする折りたたみ式テーブル。
【０００７】
〈構成３〉
構成１，２に記載の折りたたみ式テーブルにおいて、前記本体容器が設置さたときに垂直に向いた本体容器の４本の稜の内面に接するように、それぞれこの稜よりも十分長く、本体容器の下側に突出して、本体容器を所定の高さに支持する支柱を着脱自在に固定する柱固定部を有し、これらの４本の支柱は前記本体容器の内部空間に固定して収納されることを特徴とする折りたたみ式テーブル。
【０００８】
〈構成４〉
構成３に記載の折りたたみ式テーブルにおいて、本体容器の前記特定面と対向する底面のいずれかの辺に、一辺を重ねて、前記底面を本体容器の側方に拡張する拡張サブパネルと、この拡張サブパネルを水平に支持するように、前記拡張サブパネルに装着されるパネル用脚とを備えたことを特徴とする折りたたみ式テーブル。
【０００９】
〈構成５〉
構成１乃至４のいずれかに記載の折りたたみ式テーブルにおいて、前記底面の辺に蝶番を介してその一辺が連結固定されている拡張サブパネルを設けたことを特徴とする折りたたみ式テーブル。
【００１０】
〈構成６〉
構成１〜５に記載の折りたたみ式テーブルにおいて、前記特定面には火器を固定する火器皿が固定されていることを特徴とする折りたたみ式テーブル。
【００１１】
〈構成７〉
構成２乃至５のいずれかに記載の折りたたみ式テーブルにおいて、前記いずれかの拡張パネルは、前記蓋となる拡張パネルと前記火器皿が固定された特定面との間に挟み込まれて収納されることを特徴とする折りたたみ式テーブル。
【考案の効果】
【００１２】
〈構成１の効果〉
本体容器の特定面を中心にして、最大で４枚の拡張パネルを特定面の側方でほぼ水平に支持して、広いテーブルスペースを確保できる。
〈構成２の効果〉
蝶番をたたむと拡張パネルを本体容器の特定面上に重ねることができ、本体容器の蓋として機能する。フックで固定すると、簡単に着脱でき、４枚以下の任意の枚数の拡張パネルを使用できる。
〈構成３の効果〉
支柱を４本の稜の内面に取り付けると、本体容器をテーブルとして使用する最適な高さに支持できる。また、その着脱は容易である。
〈構成４の効果〉
本体容器の底面も延長して、テーブル下の棚等をつくることができる。
〈構成５の効果〉
蝶番をたたむと、本体容器の底部分の蓋として機能する。
〈構成６の効果〉
拡張テーブルに取り囲まれた特定面の部分に料理用の火器皿が固定されているので、戸外での食事に適する。
〈構成７の効果〉
拡張パネルは特定面と相似形だから、拡張パネルと前記火器皿が固定された特定面との間にコンパクトに収納できる。
【図面の簡単な説明】
【００１３】
【図１】折り畳み式テーブルの実施例を示し、（ａ）は使用状態の斜視図、（ｂ）は使用状態の側面図、（ｃ）は収納状態を説明するための斜視図である。
【図２】（ａ）は特定面１４の部分拡大斜視図、（ｂ）は拡張パネル１６の部分拡大斜視図である。
【図３】パネル用脚２２を拡張パネル１６に固定した状態を示す斜視図である。
【図４】（ａ）は本体容器１２の裏蓋を開いた状態の斜視図、（ｂ）は柱固定部３０の部品の斜視図、（ｃ）は蝶番の部分の側面図である。
【考案を実施するための形態】
【００１４】
以下、本考案の実施の形態を実施例毎に詳細に説明する。
【実施例１】
【００１５】
図１は折り畳み式テーブルの実施例を示す図で、（ａ）は使用状態の斜視図、（ｂ）は使用状態の側面図、（ｃ）は収納状態を説明するための斜視図である。
図１（ａ）のように組み立てられた折り畳み式テーブルは、その部品が全て本体容器１２の内部に収納できるように構成されている。即ち、折りたたみ式テーブル１０は、本体容器１２と拡張パネル１６とパネル用脚２２と拡張サブパネル３４と支柱２８と火器皿３６等を備えている。
【００１６】
本体容器１２は、ほぼ直方体の箱状の容器である。合板やプラスチックあるいはアルミニウムなどの軽量金属によって構成される。図１（ａ）に示すように本体容器１２を使用状態に設置したとき、その上方に向いた水平面を特定面１４と呼ぶことにする。本体容器１２の底の、特定面１４と対向する面を底面と呼ぶことにする。特定面１４はは、中央に丸い穴をあけた板により構成されている。その丸い穴の部分には、金属製の火器皿３６が嵌め込まれている。ここに、例えば炭などを入れて肉や魚を焼くために使用する。また、ガスバーナー等をとりつけることもできる。
【００１７】
拡張パネル１６は、本体容器１２の特定面１４と相似形状をしている。この特定面１４は、蝶番２０で連結された蓋１７を開くことにより現れる面で、火器皿３６を支持し、調理等に使われる部分である。使用時には、この特定面１４を上方に向けてほぼ水平にして本体容器１２を設置する。拡張パネル１６はテーブルの役割を果たす。
【００１８】
特定面１４の周囲には、４枚の拡張パネル１６が配置されている。拡張パネル１６はいずれも特定面１４のいずれかの辺に一辺を重ねて、フック１８を用いて仮固定され、パネル用脚２２によって支持されている。各拡張パネル１６はいずれも、特定面１４の側方でほぼ水平になるよう支持されている。拡張パネル１６もそれぞれ合板やプラスチックあるいは軽金属により構成される。パネル用脚２２は、支持金具２３により拡張パネル１６に装着される。パネル用脚２２や支持金具２３は、後で説明するようにアルミニウムパイプや強化プラスチックやあるいは木製の柱や棒により構成される。
【００１９】
図１（ａ）や（ｂ）に示すように、本体容器１２の底面に平行に、拡張サブパネル３４を取り付けている。この拡張サブパネル３４は、本体容器１２の底蓋として機能する。拡張サブパネル３４を図のように開いて水平にする。蓋１７と拡張サブパネル３４はパネル用脚２１によって水平に支持する。このように、本体容器１２の底面も延長して、テーブル下の棚にする。
【００２０】
図の（ｃ）に示すように、特定面１４の一辺には、蝶番２０を介してその一辺が連結固定されている蓋１７がある。この蓋１７も、図１（ａ）に示すように、拡張パネル１６の一つとして機能している。図の（ｃ）に示す特定面１４上に、３枚の拡張パネル１６を重ねて挟み込み、蝶番２０をたたんで、蓋１７を閉めて収容することができる。なお、全ての拡張パネル１６を、特定面１４の各辺に蝶番２０を使用して連結固定することもできる。蝶番２０の取付位置を調整すれば、４枚の拡張パネル１６を隙間なく平坦に重ねて本体容器１２と一体化できる。
【００２１】
さらに、後で説明するように、全ての部品を本体容器１２の内部に収納することができる。なお、本体容器１２を適当な高さに支持するために４本の支柱２８を使用している。４本の支柱２８は本体容器１２の稜２６の内面に接するように固定される。
【００２２】
図２は特定面１４の部分拡大斜視図と拡張パネル１６の部分拡大斜視図である。
特定面１４は火器皿３６を支持する面を、側壁１５の縁よりも少し低くなるように設定している。この側壁１５の部分に、拡張パネル１６のフック１８を掛けて、拡張パネル１６を仮固定する。すなわち、図２（ｂ）に示すように、フック１８はＵ字状に折り曲げられており、これが側壁１５に掛けられて、拡張パネル１６の辺を側壁１５に重ねて支えることができる。
【００２３】
図３はパネル用脚２２を拡張パネル１６に固定した状態を示す斜視図である。
上記の拡張パネル１６は、パネル用脚２２により水平に支持されている。このパネル用脚２２は、支持金具２３により、拡張パネル１６の縁に固定される。支持金具２３は、下部にパネル用脚２２を連結できる構造をしており、上部にＵ字状に折り曲げられた部分を有する。このＵ字状に折り曲げられた部分を拡張パネル１６縁に装着する。このように構成すると、拡張パネル１６側には金具等が不要なので、拡張パネル１６を薄くして、重ねて収納し易くできる。またこの構造により、拡張パネル１６の縁に簡単にパネル用脚２２を固定して、拡張パネル１６を水平に支持することができる。
【００２４】
図４（ａ）は本体容器１２の裏蓋を開いた状態の斜視図、（ｂ）は柱固定部３０の部品の斜視図、（ｃ）は蝶番の部分の側面図である。
図に示す本体容器１２には、４本の支柱２８が収納されている。この支柱２８は、本体容器１２の４本の稜２６の内面に接するように、嵌め込んで固定される。稜２６の裏側には図の（ｂ）に示したような、例えば、金属板を折り曲げた柱固定部３０が固定されている。この柱固定部３０の部分に支柱２８を差し込むと、支柱２８は本体容器１２の稜２６の裏側に直立するように固定される。これで、図１（ｂ）に示したような状態になる。すなわち、本体容器１２を一定の高さに保持するように支持できる。
【００２５】
なお、支柱２８は、断面が円形でも四角形でも構わない。板状でも構わない。いずれにしても、本体容器１２の稜２６よりも十分長く、本体容器１２の下側に突出して、本体容器１２を所定の高さに支持するとができるように構成するとよい。柱固定部３０は、支柱２８を着脱自在に固定するので、これらの４本の支柱２８は、不使用時には本体容器１２の内部空間２４に収納できる。
【００２６】
なお、図４（ａ）と（ｃ）に示すように、拡張サブパネル３４は、本体容器１２の底面の辺に一辺を重ねて、蝶番２０により本体容器１２に連結固定されている。拡張サブパネル３４は、蝶番２０をたたむと、本体容器１２の底部分の蓋として機能する。図１に示した蓋１７と本体容器１２との連結も、同様の蝶番２０を使用することができる。
【００２７】
以上の本考案によれば、全ての必要な部品をコンパクトに本体容器１２に収納し、簡単にテーブルを組み立てることができる。また、例えば本体容器１２の一辺を５０センチ程度に選定しておくと、拡張パネル１６を用いて十文字状にテーブルを広げると、縦横１．５メートル程度の十分に広いテーブルを簡単に組み立てることができる。
【００２８】
また、３枚の拡張パネル１６は、本体容器１２と分離でき、使用するかどうかによって、テーブルの大きさを任意に調整することができる。また、底蓋の部分を棚に使うこともでき非常に便利な道具になる。なお、例えば特定面１４を長方形にし、２台のガスコンロを取り付けることができるようにすることもできる。また、特定面１４に設けた火器皿３６は、円形でも四角形でもよい。さらに、特定面１４全面を火器皿にすることもできる。
【符号の説明】
【００２９】
１０  折りたたみ式テーブル
１２  本体容器
１４  特定面
１５  側壁
１６  拡張パネル
１７  蓋
１８  フック
２０  蝶番
２１  パネル用脚
２２  パネル用脚
２３  支持金具
２４  内部空間
２６  稜
２８  支柱
３０  柱固定部
３４  拡張サブパネル
３６  火器皿
【図１】
0003155454.tif 000003
【図２】
0003155454.tif 000004
【図３】
0003155454.tif 000005
【図４】
0003155454.tif 000006
【手続補正書】
【提出日】平成21年9月14日(2009.9.14)
【手続補正１】
【補正対象書類名】実用新案登録請求の範囲
【補正対象項目名】全文
【補正方法】変更
【補正の内容】
【実用新案登録請求の範囲】
【請求項１】
ほぼ直方体の本体容器と、
この本体容器の特定面と相似形状をしており、前記特定面を上方に向けてほぼ水平にして前記本体容器を設置したとき、一辺を前記特定面のいずれかの辺に重ねて固定する手段を当該一辺に設けた拡張パネルと、
この拡張パネルを、前記特定面の側方でほぼ水平に支持するように、前記拡張パネルに装着されるパネル用脚とを備え、
前記拡張パネルは、前記本体容器の特定面上に重ねて本体容器と一体化して収容され、
前記パネル用脚は前記本体容器の内部空間に固定して収容されることを特徴とする折りたたみ式テーブル。
【請求項２】
請求項１に記載の折りたたみ式テーブルにおいて、
前記特定面の辺に蝶番またはフックを介してその一辺が連結固定される拡張パネルを設けたことを特徴とする折りたたみ式テーブル。
【請求項３】
請求項１または２に記載の折りたたみ式テーブルにおいて、
前記本体容器が設置さたときに垂直に向いた本体容器の４本の稜の内面に接するように、
それぞれこの稜よりも十分長く、本体容器の下側に突出して、本体容器を所定の高さに支持する支柱を着脱自在に固定する柱固定部を有し、
これらの４本の支柱は前記本体容器の内部空間に固定して収納されることを特徴とする折りたたみ式テーブル。
【請求項４】
請求項３に記載の折りたたみ式テーブルにおいて、
本体容器の前記特定面と対向する底面のいずれかの辺に、一辺を重ねて、前記底面を本体容器の側方に拡張する拡張サブパネルと、
この拡張サブパネルを水平に支持するように、前記拡張サブパネルに装着されるパネル用脚とを備えたことを特徴とする折りたたみ式テーブル。
【請求項５】
請求項４に記載の折りたたみ式テーブルにおいて、
前記底面の辺に蝶番を介してその一辺が連結固定されている拡張サブパネルを設けたことを特徴とする折りたたみ式テーブル。
【請求項６】
請求項１乃至５のいずれかに記載の折りたたみ式テーブルにおいて、
前記特定面には火器を固定する火器皿が固定されていることを特徴とする折りたたみ式テーブル。
【請求項７】
請求項６に記載の折りたたみ式テーブルにおいて、
前記特定面の一辺に蝶番を介してその一辺が連結固定されている拡張パネルが、他の拡張パネルを、前記火器皿が固定された特定面との間に挟み込んで収納することを特徴とする折りたたみ式テーブル。